【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
冷媒吸入口（２３）を有し、かつ前記冷媒吸入口から導入した冷媒を流す冷媒流路を肉部（２５ａ、２４ａ）によって形成してなるケース（２１）を備え、
前記ケースの内側には、前記冷媒流路との間に前記肉部を介在するように形成してなる複数の平面（２６ａ、２６ｂ、２７ａ）を有する冷却部（９０）が設けられており、
前記ケースの内側に配置されて、それぞれ、前記複数の平面のうちいずれかの平面に接している複数の電子部品（ＳＷ１、ＳＷ２・・・ＳＷ６、５０、５１、５３）を備え、
前記複数の電子部品は、それぞれ、前記複数の平面のうち対応する平面、および前記肉部を介して、前記冷媒によって冷却されるものであり、
前記ケースは、筒状に形成されている側壁（２２）と、前記側壁のうち軸線方向一方側に配置されている底部（２４）と、前記側壁のうち軸線方向一方側に配置されて、かつ前記底部から前記軸線方向他方側に凸となるように形成されて前記底部とともに前記側壁のうち軸線方向一方側を塞ぐように形成されている凸部（２５）と、を備え、
前記ケースに対して軸線方向一方側に配置されて、前記ケースの底部および前記凸部を覆うように形成されているプレート（１３）を備え、
前記プレートのうち前記凸部に対向する部位には、前記冷媒流路の冷媒出口（１３ｂ）が形成されており、
前記冷媒吸入口は、前記側壁に形成されており、
前記凸部と前記プレートとの間には、前記冷媒吸入口および前記冷媒出口に連通して、前記冷媒通路を構成する流路（４０）が設けられていることを特徴とする電子部品の冷却構造。
【請求項２】
前記凸部のうち軸線方向一方側に設けられて、前記冷媒吸入口および前記冷媒出口に連通して、前記軸線方向他方側に凹むように形成されている凹部（２９）と、
前記プレートのうち前記軸線方向他方側で前記凹部に対向する部位に設けられて、前記軸線方向一方側に凹むとともに前記冷媒出口を有するように形成されている溝部（１３ａ）と、を備え、
前記凹部および前記溝部が、前記流路を構成していることを特徴とする請求項１に記載の電子部品の冷却構造。
【請求項３】
前記複数の平面は、前記凸部のうち軸線方向他方側に形成されている第１平面（２６ａ）と、前記第１平面に交差して前記凸部の側壁を形成する第２平面（２６ｂ）とから構成されていることを特徴とする請求項１または２に記載の電子部品の冷却構造。
【請求項４】
前記流路には、前記複数の電子部品の冷却を促進する冷却フィン（３１）が配置されていることを特徴とする請求項１、２、３のいずれか１つに記載の電子部品の冷却構造。
【請求項５】
冷媒吸入口（２３）を有し、かつ前記冷媒吸入口から導入した冷媒を流す冷媒流路を肉部（２５ａ、２４ａ）によって形成してなるケース（２１）を備え、
前記ケースの内側には、前記冷媒流路との間に前記肉部を介在するように形成してなる複数の平面（２６ａ、２６ｂ、２７ａ）を有する冷却部（９０）が設けられており、
前記ケースの内側に配置されて、それぞれ、前記複数の平面のうちいずれかの平面に接している複数の電子部品（ＳＷ１、ＳＷ２・・・ＳＷ６、５０、５１、５３）を備え、
前記複数の電子部品は、それぞれ、前記複数の平面のうち対応する平面、および前記肉部を介して、前記冷媒によって冷却されるものであり、
前記ケースは、筒状に形成されている側壁（２２）と、前記側壁のうち軸線方向一方側に配置されている底部（２４）と、前記側壁のうち軸線方向一方側に配置されて、かつ前記底部から前記軸線方向他方側に凸となるように形成されて前記底部とともに前記側壁のうち軸線方向一方側を塞ぐように形成されている凸部（２５）と、を備え、
前記ケースに対して軸線方向一方側に配置されて、前記ケースの底部および前記凸部を覆うように形成されているプレート（１３）を備え、
前記プレートのうち前記凸部に対応する部位には、前記冷媒流路の冷媒出口（１３ｂ）が形成されており、
前記冷媒吸入口は、前記側壁に形成されており、
前記凸部と前記プレートとの間には、前記冷媒吸入口に連通する第１の流路（４１）と、前記冷媒出口に連通する第２の流路（４２）とが設けられており、
前記底部と前記プレートとの間には、前記第１流路から前記底部側に迂回して前記第２流路に連通するように形成されている迂回流路（４３）が形成されており、前記第１、第２の流路、および前記迂回流路は、前記冷媒通路を構成していることを特徴とする電子部品の冷却構造。
【請求項６】
前記凸部のうち軸線方向一方側に設けられて、前記冷媒吸入口に連通して、前記軸線方向他方側に凹むように形成されている第１の凹部（１１０ａ）と、
前記凸部のうち軸線方向一方側に設けられて、前記冷媒出口に連通して、前記軸線方向他方側に凹むように形成されている第２の凹部（１１０ｂ）と、
前記底部のうち軸線方向一方側に設けられて、前記第１凹部および前記第２凹部に連通して、前記軸線方向他方側に凹むように形成されている第３の凹部（１１０ｃ）と、
前記プレートのうち前記軸線方向他方側で前記第１、第２、第３の凹部に対向する部位に設けられて、前記軸線方向一方側に凹むように形成されている溝部（１３ｄ）と、を備え、
前記第１の凹部および前記溝部は、前記第１の流路を形成し、前記第２の凹部および前記溝部は、前記第２の流路を形成し、前記第３の凹部および前記溝部は、前記迂回流路を形成していることを特徴とする請求項５に記載の電子部品の冷却構造。
【請求項７】
前記複数の平面は、前記凸部のうち軸線方向他方側に形成されている第１平面（２６ａ）と、前記第１平面に交差して前記凸部の側壁を形成する第２平面（２６ｂ）と、前記底部に形成されている第３平面（２７ａ）とから構成されていることを特徴とする請求項５または６に記載の電子部品の冷却構造。
【請求項８】
前記第１、第２の流路には、前記複数の電子部品の冷却を促進する冷却フィン（３２、３３）がそれぞれ配置されていることを特徴とする請求項５、６、７のいずれか１つに記載の電子部品の冷却構造。
【請求項９】
前記複数の電子部品のうち、大きな発熱量を発生する電子部品は、小さな発熱量を発生する電子部品よりも、前記冷媒吸入口に近い部位に配置されていることを特徴とする請求項１ないし８のいずれか１つに記載の電子部品の冷却構造。
【請求項１０】
前記複数の電子部品のうち、大きな発熱量を発生する電子部品は、小さな発熱量を発生する電子部品よりも、前記複数の平面のうち接する平面の数が多くなるように設定されていることを特徴とする請求項１ないし９のいずれか１つに記載の電子部品の冷却構造。
【請求項１１】
前記複数の電子部品は、それぞれの電気端子が同一方向に向くように配置されていることを特徴とする請求項１ないし１０のいずれか１つに記載の電子部品の冷却構造。
【請求項１２】
前記冷媒流路は、前記ケース単体で形成されていることを特徴とする請求項１ないし８のいずれか１つに記載の電子部品の冷却構造。
【請求項１３】
前記ケースは、筒状に形成されている側壁（２２）と、前記側壁のうち軸線方向一方側に配置されている底部（２４）と、前記側壁のうち軸線方向一方側に配置されて、かつ前記底部から前記軸線方向他方側に凸となるように形成されて前記底部とともに前記側壁のうち軸線方向一方側を塞ぐように形成されている凸部（２５）と、を備え、
前記複数の平面は、前記凸部のうち軸線方向他方側に形成されている第１平面（２６ａ）と、前記第１平面に交差して前記凸部の側壁を形成する第２平面（２６ｂ）と、前記底部に形成されている第３平面（２７ａ）とから構成されており、
前記冷媒流路は、前記第１、第２、第３の平面に沿うように形成されていることを特徴とする請求項１２に記載の電子部品の冷却構造。
【請求項１４】
請求項１ないし８のいずれか１つに記載の電子部品の冷却構造が適用される電動コンプレッサであって、
前記冷媒出口から排出される前記冷媒を圧縮する圧縮機構（１２ｂ）と、
前記圧縮機構を駆動する電動モータ（１２ａ）と、
筒状に形成されて、前記圧縮機構および前記電動モータを収納するコンプレッサハウジング（１１）と、を備え、
前記コンプレッサハウジングは、その軸線が前記ケースの軸線に一致し、かつ前記ケースに対して軸線方向一方側に配置されており、
前記コンプレッサハウジングのうち軸線方向他方側には、開口部が形成されており、
前記プレートは、前記コンプレッサケースの前記開口部を塞ぐように配置されていることを特徴とする電動コンプレッサ。
【請求項１５】
前記複数の電子部品は、前記電動モータを制御する制御回路（８０）を構成していることを特徴とする請求項１４に記載の電動コンプレッサ。
【手続補正２】
【補正対象書類名】明細書
【補正対象項目名】０００９
【補正方法】変更
【補正の内容】
【０００９】
上記目的を達成するため、請求項１に記載の発明では、冷媒吸入口（２３）を有し、かつ前記冷媒吸入口から導入した冷媒を流す冷媒流路を肉部（２５ａ、２４ａ）によって形成してなるケース（２１）を備え、前記ケースの内側には、前記冷媒流路との間に前記肉部を介在するように形成してなる複数の平面（２６ａ、２６ｂ、２７ａ）を有する冷却部（９０）が設けられており、前記ケースの内側に配置されて、それぞれ、前記複数の平面のうちいずれかの平面に接している複数の電子部品（ＳＷ１、ＳＷ２・・・ＳＷ６、５０、５１、５３）を備え、前記複数の電子部品は、それぞれ、前記複数の平面のうち対応する平面、および前記肉部を介して、前記冷媒によって冷却されるものであり、前記ケースは、筒状に形成されている側壁（２２）と、前記側壁のうち軸線方向一方側に配置されている底部（２４）と、前記側壁のうち軸線方向一方側に配置されて、かつ前記底部から前記軸線方向他方側に凸となるように形成されて前記底部とともに前記側壁のうち軸線方向一方側を塞ぐように形成されている凸部（２５）と、を備え、前記ケースに対して軸線方向一方側に配置されて、前記ケースの底部および前記凸部を覆うように形成されているプレート（１３）を備え、前記プレートのうち前記凸部に対向する部位には、前記冷媒流路の冷媒出口（１３ｂ）が形成されており、前記冷媒吸入口は、前記側壁に形成されており、前記凸部と前記プレートとの間には、前記冷媒吸入口および前記冷媒出口に連通して、前記冷媒通路を構成する流路（４０）が設けられていることを特徴とする。